(57)【要約】【課題】天井に取り付けられたベースユニットに対し、主機能を有する本体ユニットを、簡単に上げ下げすることができるプロジェクタを提供する。【解決手段】天井６面に取り付けられるベースユニット３と、ベースユニット３に下側から係脱自在に支持されると共に主機能を有する本体ユニット２と、ベースユニット３に設けられた滑車１１と、固定端で本体ユニット２を吊設し、滑車１１を介して自由端側において、本体ユニット２をベースユニット３に係止する係止位置と係止位置直下のメンテナンス位置との間で昇降させるためのロープ１２と、を備えたものである。【選択図】図１
2009063939.tif 000002
【特許請求の範囲】
【請求項１】
天井面に取り付けられるベースユニットと、
前記ベースユニットに下側から係脱自在に支持されると共に主機能を有する本体ユニットと、
前記ベースユニットに設けられた滑車と、
固定端で前記本体ユニットを吊設し、前記滑車を介して自由端側において、前記本体ユニットを前記ベースユニットに係止する係止位置と前記係止位置直下のメンテナンス位置との間で昇降させるためのロープと、を備えたことを特徴とするプロジェクタ。
【請求項２】
前記ベースユニットおよび前記本体ユニットのいずれか一方に設けられ、前記本体ユニットを前記ベースユニットに係止した状態で、前記ロープの自由端側を巻取り且つ繰出すロープ巻取り手段と、
前記ロープ巻取り手段の駆動をリモコン操作する遠隔操作手段と、を更に備えたことを特徴とする請求項１に記載のプロジェクタ。
【請求項３】
前記ベースユニットに対し前記本体ユニットを係脱させるロック手段を、更に備え、
前記遠隔操作手段は、前記ロープ巻取り手段により前記ロープが繰り出された状態で、前記ロック手段の駆動をリモコン操作可能に構成されていることを特徴とする請求項２に記載のプロジェクタ。
【請求項４】
前記本体ユニットの上昇時における前記ロープの走行を許容すると共に、下降時における前記ロープの走行を阻止する逆止め部材と、
前記ロープを鉛直方向から所定の角度傾けることにより、逆止め部材の前記走行阻止状態を解除する解除部材と、を有する逆止め手段を、更に備えたことを特徴とする請求項１ないし３のいずれかに記載のプロジェクタ。
【請求項５】
前記ベースユニットには、電源ケーブルを含む各種ケーブルが接続されており、
前記ベースユニットは、前記各種ケーブルに連なるベース側コネクタを有し、
前記本体ユニットは、前記ベースユニットに係止した状態で前記ベース側コネクタにコネクタ接続する本体側コネクタを有していることを特徴とする請求項１ないし４のいずれかに記載のプロジェクタ。
【請求項６】
前記ベース側コネクタおよび前記本体側コネクタには、一方にマグネットが組み込まれ、他方にマグネットまたは磁性体が組み込まれていることを特徴とする請求項５に記載のプロジェクタ。
【請求項７】
前記ベース側コネクタおよび前記本体側コネクタのいずれか一方は凹状に形成され、他方はこれと相補的形状の凸状に形成され、
それぞれの接合面は、コネクタ接続を案内する傾斜面に形成されていることを特徴とする請求項５または６に記載のプロジェクタ。
【発明の詳細な説明】
【技術分野】
【０００１】
本発明は、天井面に取り付けられるベースユニットと、ベースユニットに対し上げ下げ可能に構成された本体ユニットとから成るプロジェクタに関するものである。
【背景技術】
【０００２】
天吊り方式のプロジェクタにあっては、天井に設けた照明具吊下げ用のローゼットを利用してＡＣ電源をプロジェクタに給電すると共に、天井から吊下げる構造のものがあり（例えば、特許文献１および２参照）、特に特許文献２では、プロジェクタの下面にも照明具接続用のローゼットを設け、プロジェクタの下部に照明具を吊下げ配置できるようにしている。
【０００３】
これら天吊り装置では、プロジェクタそのものが天井にローゼットを介して固定されているため、プロジェクタのメンテナンス（レンズクリーニング等）時には、梯子、脚立などを用いてプロジェクタに近づいてメンテナンスを行うか、あるいはローゼットから取外してメンテナンスを行う必要がある。
【０００４】
これに対して、下記特許文献３に示すように、天井面からの高さを調整可能にしたものがある。この天吊り装置は、天井面などに固定される上側アームと、それに対してスライドすることにより長さ調整可能であって、下端に固定対象物を固定した下側アームと、上側アームに対して下側アームを着脱可能に係合する係合手段とを有し、係合手段の着脱に応じて上側アームに対する下側アームの高さ調整により、天井から固定対象物までの距離を調整可能としている。
【特許文献１】特開平７−２６４５２７号公報
【特許文献２】特開２００４−１８４７６８号公報
【特許文献３】特開２００６−１６２１８７号公報
【発明の開示】
【発明が解決しようとする課題】
【０００５】
しかしながら、特許文献１，２の天吊り装置では、高所作業となるため足下が不安定であり、特に階高が高い室内の場合には、危険性も伴う。天吊り装置からプロジェクタを取外してメンテナンスを行う場合にも、高所作業が必要であるほか、ローゼットから電源接続部を取外すだけでなく、ＲＧＢ接続端子のほか、パソコンやその他のディジタル機器などに接続されている場合には、それぞれの専用端子を取外す必要も生じ、取外し再接続ともに面倒な作業となる。
【０００６】
特許文献３に示す構造の天吊り装置では、調整量を大きくとるようにすれば、原理的には作業に都合のよい位置までおろすことができるが、その調整量は上部側アームの長さの１／２以下までである一方で、該種プロジェクタは通常天井面直下に配置されるものであるため、元の高さを低くすることはできないほか、高さ調整時には、やはり梯子、脚立などに乗って作業しなければならない。
【０００７】
本発明は、天井に取り付けられたベースユニットに対し、主機能を有する本体ユニットを、簡単に上げ下げすることができるプロジェクタを提供することを課題としている。
【課題を解決するための手段】
【０００８】
本発明のプロジェクタは、天井面に取り付けられるベースユニットと、ベースユニットに下側から係脱自在に支持されると共に主機能を有する本体ユニットと、ベースユニットに設けられた滑車と、固定端で本体ユニットを吊設し、滑車を介して自由端側において、本体ユニットをベースユニットに係止する係止位置と係止位置直下のメンテナンス位置との間で昇降させるためのロープと、を備えたことを特徴とする。
【０００９】
この構成によれば、ユーザが、滑車に掛け渡したロープを持って上げ下げ操作することにより、ベースユニットに対し本体ユニットを昇降させることができる。すなわち、プロジェクタとしての主機能を有する本体ユニットを、ベースユニットに設けた滑車およびロープを用いて、係止位置とメンテナンス位置との間で昇降させることができる。したがって、本体ユニットのメンテナンスに際し、これをメンテナンス位置に下降させれば、脚立等を用いることなく、本体ユニットのメンテナンスを簡単に行うことができる。なお、滑車は、定滑車のみであってよいし、定滑車と動滑車を組み合わせたものであってもよい。
【００１０】
この場合、ベースユニットおよび本体ユニットのいずれか一方に設けられ、本体ユニットをベースユニットに係止した状態で、ロープの自由端側を巻取り且つ繰出すロープ巻取り手段と、ロープ巻取り手段の駆動をリモコン操作する遠隔操作手段と、を更に備えることが、好ましい。
【００１１】
この構成によれば、本体ユニットをベースユニットに係止した状態（定常状態）で、ロープの自由端側を巻き取っておくことができるため、ロープが邪魔になることがない。また、ロープをリモコン操作により、巻取り且つ繰出すことができるため、ロープの巻取りおよび繰出しの操作が煩わしくなることがない。
【００１２】
この場合、ベースユニットに対し本体ユニットを係脱させるロック手段を、更に備え、遠隔操作手段は、ロープ巻取り手段によりロープが繰り出された状態で、ロック手段の駆動をリモコン操作可能に構成されていることが、好ましい。
【００１３】
この構成によれば、ベースユニットに対し本体ユニットを係止しておくことにより、本体ユニットを安定に支持しておくことができる。また、ロック手段が、リモコン操作可能であるため、遠隔操作で本体ユニットの係止解除を行うことができ、迅速にロープ操作に移行することができる。
【００１４】
これらの場合、本体ユニットの上昇時におけるロープの走行を許容すると共に、下降時におけるロープの走行を阻止する逆止め部材と、ロープを鉛直方向から所定の角度傾けることにより、逆止め部材の走行阻止状態を解除する解除部材と、を有する逆止め手段を、更に備えることが好ましい。
【００１５】
この構成によれば、ロープ操作を円滑に行うことができると共に、本体ユニットの降下時または上昇時にあって、不用意にロープから手を離した場合等に、本体ユニットが落下してしまうことを未然に防止することができる。
【００１６】
また、ベースユニットには、電源ケーブルを含む各種ケーブルが接続されており、ベースユニットは、各種ケーブルに連なるベース側コネクタを有し、本体ユニットは、ベースユニットに係止した状態でベース側コネクタにコネクタ接続する本体側コネクタを有していることが、好ましい。
【００１７】
この構成によれば、ベース側コネクタと本体側コネクタとのコネクタ接続により、本体ユニットがベースユニットから離脱した状態では、各種ケーブルの引回しが問題になることがなく、且つ係止した状態では、本体ユニットに給電およびデータ転送が可能となる。
【００１８】
この場合、ベース側コネクタおよび本体側コネクタには、一方にマグネットが組み込まれ、他方にマグネットまたは磁性体が組み込まれていることが、好ましい。
【００１９】
この構成によれば、マグネットの吸着力により、ベース側コネクタと本体側コネクタとのコネクタ接続を安定なものとすることができる。
【００２０】
これらの場合、ベース側コネクタおよび本体側コネクタのいずれか一方は凹状に形成され、他方はこれと相補的形状の凸状に形成され、それぞれの接合面は、コネクタ接続を案内する傾斜面に形成されていることが、好ましい。
【００２１】
この構成によると、ベース側コネクタに対する本体側コネクタのコネクタ接続を、傾斜面により案内することができるため、コネクタ接続を確実かつ精度よく行うことができる。
【発明を実施するための最良の形態】
【００２２】
以下、添付の図面を参照して、本発明の一実施形態に係るプロジェクタについて説明する。このプロジェクタは、いわゆる天吊り形式のものであり、レンズクリーニング等のメンテナンス時に、吊下げた状態で天井面から床面近傍まで下降させるようになっている。
【００２３】
図１の断面図および図２の正面図に示すように、プロジェクタ１は、天井６に取り付けられるベースユニット３と、ベースユニット３に下側から係脱自在に支持されると共に主機能を有する本体ユニット２と、これらの構成装置を遠隔操作可能なリモコン装置（遠隔操作手段）４と、を備えている。
【００２４】
リモコン装置４は、本体ユニット２の電源ＯＮ−ＯＦＦや前部に設けた画像投影レンズ２ａの上下左右調整、ズーム調整等の機能を備える他、図１の一部に拡大して示すように、後述するロープ１２の上下操作用となる一対の押ボタン４ａ，４ｂを備えている。
【００２５】
ベースユニット３は、その周囲複数箇所に設けたブラケット５に取付用ビスＢを介して天井６の下面に固定されており、扁平な長方形ケース状に形成されている。ベースユニット３の背面には、グロメット７を通じて天井６の直下に引出された電源ケーブル８の接続用コンセント８ａ、並びに図示しないカラーデータ伝送用の各種ケーブルの接続端子部に接続される外部接続部９が設けられ、この外部接続部９は、内部回路１０が接続されている。
【００２６】
ベースユニット３内の天板下部には、前後１対の滑車１１，１１が取り付けられており、この各滑車１１には本体ユニット２の吊下げ用のロープ１２が掛け渡されている。ロープ１２の一端は前部側の滑車１１の下方において４分岐し、本体ユニット２の上部における前後左右の４箇所で、フック等を介して本体ユニット２に連結され、これを吊下支持している。一方、後部側の滑車１１の下方においてロープ１２の自由端側は、巻取り装置（ロープ巻取り手段）１４および逆止め装置（逆止め手段）１５に臨むと共に、ベースユニット３の後部下面から吊下されており、この吊下端部には錘１６が固定されている。
【００２７】
本体ユニット２は、ロープ１２に吊下げ支持される他、ベースユニット３の底面中央部に設けた前後一対のロック装置（ロック手段）１７により係脱自在に接合され、ベースユニット３の底面に密着状態に支持されている。
【００２８】
本体ユニット２の後部上面には、台形凸部１８が突設され、ベースユニット３の底面に形成された台形凹部１９に嵌合されていると共に、これら台形凸部１８および台形凹部１９により、ベースユニット３と本体ユニット２とを電気的に接続する接続コネクタ２０が構成されている。ベースユニット３に本体ユニット２が係止されている状態では、接続コネクタ２０が接続状態となり、本体ユニット２内に電源が給電可能となると共に、画像データ等が供給可能となる。なお、ベースユニット３内には、リモコン装置４からの送受信により、コード信号を読込んで各部を駆動指令する図示しない制御部が組込まれていることは言うまでもない。
【００２９】
次に、プロジェクタ１の各部の詳細について、図３〜図７を用いて説明する。図３は巻取り装置１４の斜視図、図４（ａ），（ｂ）は巻取り装置１４の動作を示す図１のＡ−Ａ線における断面図である。
【００３０】
図３に示すように、巻取り装置１４は、正逆回転可能な減速ギャ付のモータ３０と、モータ３０によって回転するリール３１と、モータ３０の一側部に固定配置され、リール３１に対向させて設けた検出センサ３２とを備えている。リール３１は、モータ３０の出力軸３０ａに固定した回転円板３３と、回転円板３３の前面に突出し、ロープ１２の自由端を絡げた状態に巻取り、繰出すための一対のリールロッド３４，３４と、両リールロッド３４，３４の先端を互いに連結する連結板３５と、回転円板３３の背面に配置されて、検出センサ３２と対向させた被検出体３６とを備えている。なお、リールロッド３４は、ローラで構成されていることが、好ましい。
【００３１】
ロック装置１７による本体ユニット２の係止状態では、ロープ１２には荷重が加わっておらず、図４（ａ）に示すように、錘１６のみをベースユニット３の下面に露出した状態で両リールロッド３４，３４間に巻取られている。この状態から、モータ３０によるリール３１の繰出し方向の回転により、ロープ１２の自由端は、錘１６やロープ１２の自重により下方に繰出される。そして、図４（ｂ）に示すように、ロープ１２の下端が床面ＦＬに着地した後、更に繰出され、モータ３０の停止により繰出しは終了する。
【００３２】
この場合、モータ３０の正逆回転によるロープ１２の巻取り時または繰出し時には、回転円板３３の回転を上記の検出センサ３２が検出し、制御部でその回転をカウントすることにより、巻取り終了および繰出し終了の検出が行われる。なお、繰出し終了では、一対のリールロッド３４，３４の間をロープ１２が通過する状態とする。また、巻取り時および繰出し時には、後述する逆止め装置１５によるロープの逆止め動作は解除され、自由な繰出しおよび巻取りを可能としている。
【００３３】
図５において、逆止め装置１５は、固定シュー４０と、固定シュー４０にロープ１２を挟んで対向する可動シュー４１と、可動シュー４１を固定シュー４０側に回動付勢するばね４２と、一端を可動シュー４１およびばね４２に連結し、回動中心軸４３を基点に回動可能なレバー４４と、を備えている。また、逆止め装置１５は、レバー４４の可動シュー４１とは反対位置に、ピン４５が突設され、このピン４５には、ばね４２のばね圧に抗してソレノイド４６のプランジャ４６ａが離接自在に当接するようになっている。
【００３４】
図５（ａ）に示すように、ソレノイド４６が励磁し、プランジャ４６ａが突出すると、ばね圧に抗してレバー４４を傾動させて可動シュー４１を固定シュー４０から離間させ、ロープ１２の逆止め動作を解除する。また、ソレノイド４６の消磁により、プランジャ４６ａが没入すると、ばね圧により可動シュー４１と固定シュー４０の間にロープ１２を狭持することにより、ロープ１２を逆止め可能動作となる。すなわち、図５（ｂ）に示すように、本体ユニット２の下降途中で、誤ってロープ１２から手を離してしまうと、逆止めが機能しロープ１２の走行が自動的に停止する。但し、ユーザーがロープ１２を、図５（ｃ）の矢印方向に移動させることにより、再び逆止め状態が解除され、ロープ１２を介してユーザーによる本体ユニット２の昇降動作が可能となる。なお、固定シュー４０、可動シュー４１、ばね４２およびレバー４４に加え、固定シュー４０と可動シュー４１との位置関係により、請求項に言う逆止め部材および解除部材が構成されている。
【００３５】
図６に示すように、各ロック装置１７は、ベースユニット３の底板に固定した回動中心軸５０に回動自在に支持されたＬ字状のフック５３と、フック５３の上端に連結したソレノイド５４と、本体ユニット２の上面に形成された溝５１内に横設され、フック５３が係脱する支持ピン５２と、を備えている。ソレノイド５４のプランジャ５４ａには、プランジャ５４ａを突出方向に付勢するばね５５が設けられている。また、プランジャ５４ａの先端は、連結ピン５６を介してフック５３の上端に連結されている。なお、図６は、前部側のロック装置１７のみを示しているが、後部側でも同一構成となっている。
【００３６】
ソレノイド５４の消磁時であって、本体ユニット２がベースユニット３の直下に位置している状態（係止位置）では、図６（ａ）に示すように、フック５３が支持ピン５２に係止していて、ロック装置１７を介して本体ユニット２がベースユニット３に支持されている。この状態から、ソレノイド５４を消磁すると、図６（ｂ）に示すように、フック５３が回動して支持ピン５２から外れ、ロックが解除される。これにより、本体ユニット２の全荷重がロープ１２に預けられ、本体ユニット２は、やや下降するが、ロープ１２は逆止め装置１５によって走行が規制されるため、図６（ｃ）に示すようにロープ１２のたるみ分だけやや下降するだけとなる。
【００３７】
なお、本体ユニット２の引上げ時には、図６（ｃ）に示すように、ソレノイド５４が消磁状態でも、フック５３の先端５３ａの下面が傾斜していることにより、ばね圧に抗して支持ピン５２に当接して回動し、ばね５５の復帰により再び支持ピン５２に係止される。
【００３８】
図７に示すように、接続コネクタ２０を構成する本体ユニット２側の台形凸部１８およびベースユニット３側の台形凹部１９は、絶縁性の樹脂成形体で構成されている。台形凸部１８および台形凹部１９の傾斜面および周縁には、両者が接近すると互いに吸着すべく、対向面が異極となるマグネット６０，６１がそれぞれ対向して埋め込まれている。なお、マグネット６０，６１の一方を磁性体で構成してもよい。
【００３９】
接続コネクタ２０は、ベースユニット３側では、台形凹部１９の頂面に固定された電源用メスコネクタ６２と、同じく頂面に固定され、その端子ピン６３ａを頂部を貫通して下面に突出させたＲＧＢカラーデータのデータ用オスコネクタ６３とからなり、これら電源コード６２ａおよびリード線６３ｂは、上記の電源ケーブル８および内部回路１０にそれぞれ接続されている。この場合、電源用メスコネクタ６２とデータ用オスコネクタ６３とにより、請求項に言うベース側コネクタが構成されている。
【００４０】
また、本体ユニット２側では、台形凸部１８に一体成形され、且つ電源用メスコネクタ６２に対向して１対のプラグ６４ａを突出させた電源用オスコネクタ６４と、同じく一体形成されたデータ用オスコネクタ６３に対向するデータ用メスコネクタ６５と、を備えている。そして、電源用オスコネクタ６４は、本体ユニット２側の電源コード６４ｂに、データ用メスコネクタ６５は、本体ユニット２側のリード線６５ａに、それぞれ接続されている。この場合、電源用オスコネクタ６４とデータ用メスコネクタ６５とにより、請求項に言う本体側コネクタが構成されている。なお、本体ユニット２側に電源変換部および入力信号変換部を設けるようにしてもよく、かかる場合には、接続コネクタ２０に１００Ｖ電源やカラーデータ用のコネクタは不要となる。
【００４１】
図７（ａ）に示すように、本体ユニット２がベースユニット３の下部に離間している状態から本体ユニット２が上昇すると、多少の位置誤差や上昇時の振れがあっても、台形の傾斜面に沿って正確な位置にガイドされ、最終的に、（ｂ）に示すように、凹凸同士の嵌合により、接続コネクタ２０は導通接続され、かつマグネット６０，６１の吸着により密着状態となる。なお、データ用オスコネクタ６３の基部および電源用オスコネクタ６４の基部にバネを組み込んでおいて、接続時の衝撃を吸収できるようにすることが、より好ましい。
【００４２】
ところで、本体ユニット２がプレゼンティーション用やホームシアター用などの両用の場合においては、外部接続部９にはパソコン用カラー入力端子のほか、デジタルチュナー、ＤＶＤレコーダ。ビデオデッキなどの各種ＡＶ機器に対応した各種入力端子を必要とするが、ベースユニット３の内部回路１０において、これらは３つのＲＧＢカラーデータに一本化されて、本体ユニット２内に供給されるものとなる。
【００４３】
次に、ベースユニット３に対する本体ユニット２の昇降動作（上げ下げ動作）を、図８，９を用いて説明する。図８（ａ）に示すように、本体ユニット２がベースユニット３の下面に密着している状態で、リモコン装置４の下降ボタン４ａを押すと、逆止め装置１５の逆止め動作が解除され、次いで、巻取り装置１４のモータ３０が駆動してロープ１２が下方に繰出される。
【００４４】
図８（ｂ）に示すように、ロープ１２の先端が床面に着地し、所要の繰出し長さとなった時点でモータ３０の回転が停止すると、同時に逆止め装置１５が逆止め可能状態に移行し、次いでロック装置１７のロックが解除される。ここで、ロープ１２の撓み分だけ、本体ユニット２は下降し、逆止め装置１５により位置規制状態となる。次に、図８（ｃ）に示すように、ユーザーがロープ１２を緩める（引き上げる）ことによって、相対的に本体ユニット２はゆっくり下降し、最終的には室内に設置した机などの上（メンテナンス位置）に着地する。なお、ロープ１２を緩めるにあたり、ロープ１２には当初逆止めが作用しているため、ロープを図示のごとく所要角度振回すことにより、逆止め装置１５による逆止めを解除し、かつ本体ユニット２の荷重を支えつつ、ロープ１２を緩めることになる（以上、図９（ａ）のステップＳＴ１〜８参照）。
【００４５】
そして、机上に着地した本体ユニット２に対し、適宜メンテナンスが行われる。この際には、本体ユニット２からロープ１２を接続したフックを取外しておくと、さらにメンテナンスが容易に行える。メンテナンス内容としては、レンズ清掃や、フィルタの清掃・交換、あるいは光源用ランプの清掃・交換などの各種項目がある。
【００４６】
メンテナンスの終了後は、図８（ｄ）に示すように、上記とは逆に、ロープ１２を引き下げることにより、相対的に本体ユニット２は上昇し、ベースユニット３に接触する位置まで本体ユニット２を引上げれば、ロック装置１７により自動的に再ロックされ、かつ電気的にも導通状態となる。なお、上昇操作時においても、ロープ１２を振ることにより、逆止めをかけつつ間欠的な引上げが可能となる。また、誤ってロープを放しても、逆止めにより本体ユニット２が落下することはない。
【００４７】
引上げ後は、リモコン装置４の上昇ボタン４ｂを押すと、逆止め装置１５の逆止め動作が解除され、次いで巻取り装置１４のモータ３０が逆転し、ロープ１２の繰出し部分は上昇しつつ巻取り装置１４に巻取られる。最後に、再度逆止め装装置１５が逆止め可能状態に移行し、一連の動作を終了する（以上、図９（ｂ）のステップＳＴ９〜１６参照）。
【００４８】
このように、滑車１１を利用して、プロジェクタ１に主体を為す本体ユニット２を上げ下げできるようにしているため、本体ユニット２のメンテナンスを容易に行うことができる。なお、実施形態では、巻取り装置１４をベースユニット３に設けているが、これを本体ユニット２に設けるようにしてもよい。また、錘１６の重さを調節する（重くする）ことによって、本体ユニット２の引上げ力を軽減することも可能である。さらに、本体ユニット２の下降時にのみロープ１２の走行を制動する制動機構を設けるようにしてもよい。
【図面の簡単な説明】
【００４９】
【図１】本発明の一実施形態に係るプロジェクタを示す一部裁断側面図である。
【図２】プロジェクタの正面図である。
【図３】巻取り装置の斜視図である。
【図４】（ａ），（ｂ）は図１のＡ−Ａ線断面における巻取装置の状態変化を示す部分拡大図である。
【図５】（ａ）〜（ｃ）は図１のＢ部を拡大して示す逆止め装置の状態変化を示す部分側面図である。
【図６】（ａ）〜（ｃ）は図１のＣ部を拡大して示すロック装置の状態変化を示す部分側面図である。
【図７】（ａ），（ｂ）は図１のＤ部を拡大して示す接続部の離接状態を示す部分断面図である。
【図８】（ａ）〜（ｄ）は、本体ユニットの下降上昇時の作用を示す説明図である。
【図９】（ａ），（ｂ）は同下降モードおよび上昇モード時の動作手順を示すフローチャートである。
【符号の説明】
【００５０】
１…プロジェクタ  ２…本体ユニット  ３…ベースユニット  ４…リモコン装置（遠隔操縦手段）  ６…天井  ８…電源ケーブル  ８ａ…接続用コンセント  ９…外部接続部  １１…滑車  １２…ロープ  １４…巻取り装置（巻取り手段）  １５…逆止め装置（逆止め手段）  １７…ロック装置（ロック手段）  １８…台形凸部  １９…台形凹部  ２０…接続コネクタ  ３０…モータ  ３１…リール  ４０…固定シュー  ４１…可動シュー  ４６…ソレノイド  ５３…フック  ５４…ソレノイド  ６０，６１…マグネット  ６２…電源用メスコネクタ    ６３…データ用オスコネクタ  ６４…電源用オスコネクタ  ６５…データ用メスコネクタ
【図１】
2009063939.tif 000003
【図２】
2009063939.tif 000004
【図３】
2009063939.tif 000005
【図４】
2009063939.tif 000006
【図５】
2009063939.tif 000007
【図６】
2009063939.tif 000008
【図７】
2009063939.tif 000009
【図８】
2009063939.tif 000010
【図９】
2009063939.tif 000011